(57)【要約】【課題】使用しなくなったネクタイ利用して簡単に形成される手さげ袋を提供する。【解決手段】ネクタイ１の幅広側端部１ａ及び幅狭側端部１ｂを切断すると共に、その中間部をネクタイ長手方向に等間隔で少なくとも４つに分割し、これらネクタイ中間部の分割片を夫々縫い付け部を解いてネクタイ幅方向に展開し、これら展開分割片を複数枚ずつ横方向に縫いつないで、ほぼ同じ長さの前後２枚の袋部材を形成し、この前後２枚の袋部材を重ね合わせてその左右側辺及び下側辺を縫合し裏返しすることにより袋体を形成し、この袋体の口部に手さげ紐を取り付けると共に、切断したネクタイ幅広側端部Ａを口部止め部材としてその切断側端部を口部の前後両袋部材の何れか一方側に縫着し、この口部止め部材Ａの先端部を他方の袋部材側に取外し自在に止め付けるようにして形成される。【選択図】図２
0003114661.tif 000002
【実用新案登録請求の範囲】
【請求項１】
既製のネクタイを利用して形成される手さげ袋であって、
ネクタイの幅広側端部及び幅狭側端部を夫々先端から所定長さのところで切断すると共に、その中間部をネクタイ長手方向に等間隔で少なくとも４つに分割し、これらネクタイ中間部の分割片を夫々縫い付け部を解いてネクタイ幅方向に展開し、これら展開分割片を複数枚ずつ横方向に縫いつないで、ほぼ同じ長さの前後２枚の袋部材を形成し、この前後２枚の袋部材を重ね合わせてその左右側辺及び下側辺を縫合し、裏返しすることによって袋体を形成し、この袋体の口部に手さげ紐を取り付けると共に、切断したネクタイの幅広側端部切断片を口部止め部材としてその切断側端部を口部の前後両袋部材の何れか一方側に縫着し、この口部止め部材の先端部を他方の袋部材側に取外し自在に止め付けるようにして形成されるネクタイを利用した手さげ袋。
【請求項２】
切断したネクタイ幅狭側端部を飾り部材として、これを前記一方の袋部材に口部止め部材の縫着部に隣接して縫着してなる請求項１に記載のネクタイを利用した手さげ袋。
【請求項３】
口部止め部材の先端部裏面側と、この先端部が止め付けられる袋部材所要部位とに、互いに係脱自在に係止される係止部材を取り付けてなる請求項１又は２に記載のネクタイを利用した手さげ袋。
【考案の詳細な説明】
【技術分野】
【０００１】
本考案は、既製のネクタイを利用して形成される手さげ袋に関するものである。
【背景技術】
【０００２】
例えば使用されなくなったネクタイは、これまで特に良い利用方法がなかったために、そのほとんどがクローゼットやタンス等の収納部にそのまま仕舞い込まれるか、あるいは廃棄されてしまうかのいずれかであった。
【考案の開示】
【考案が解決しようとする課題】
【０００３】
本考案は、使用されなくなったネクタイの有効利用を図るため、あるいは例えば故人が生前に使っていたネクタイを形見として別の形態で日常的に有効に使用できるようにするためにそれらの既製のネクタイによって容易に形成できる手さげ袋を提供することを目的とするものである。
【課題を解決するための手段】
【０００４】
上記課題を解決するための手段を、後述する実施形態の参照符号を付して説明すると、請求項１に係る考案は、既製のネクタイ１を利用して形成される手さげ袋であって、ネクタイ１の幅広側端部１ａ及び幅狭側端部１ｂを夫々先端から所定長さのところで切断すると共に、その中間部をネクタイ長手方向に等間隔で少なくとも４つに分割し、これらネクタイ中間部の分割片を夫々縫い付け部を解いてネクタイ幅方向に展開し、これら展開分割片を複数枚ずつ横方向に縫いつないで、ほぼ同じ長さの前後２枚の袋部材２，３を形成し、この前後２枚の袋部材２，３を重ね合わせてその左右側辺及び下側辺を縫合し、裏返しすることによって袋体７を形成し、この袋体７の口部８に手さげ紐１０を取り付けると共に、切断したネクタイ幅広側端部Ａを口部止め部材としてその切断側端部を口部８の前後両袋部材２，３の何れか一方側３に縫着し、この口部止め部材Ａの先端部を他方の袋部材２側に取外し自在に止め付けるようにして形成されることを特徴とする。
【０００５】
請求項２は、請求項１に記載のネクタイを利用した手さげ袋において、切断したネクタイ幅狭側端部Ｂを飾り部材として、これを前記一方の袋部材３に口部止め部材Ａの縫着部に隣接して縫着してなることを特徴とする。
【０００６】
請求項３は、請求項１又は２に記載のネクタイを利用した手さげ袋において、口部止め部材Ａの先端部裏面側と、この先端部が止め付けられる袋部材所要部位とに、互いに係脱自在に係止される係止部材１１，１２を取り付けてなることを特徴とする。
【考案の効果】
【０００７】
上記解決手段による発明の効果を、後述する実施形態の参照符号を付して説明すると、請求項１に係る考案によれば、ネクタイ１の幅広側端部１ａ及び幅狭側端部１ｂを夫々切断すると共に、その中間部をネクタイ長手方向に等間隔で複数に分割し、これらネクタイ中間部の分割片を夫々の縫い付け部を解いてネクタイ幅方向に展開し、これら展開分割片を複数枚ずつ横方向に縫いつないで、ほぼ同じ長さの前後２枚の袋部材２，３を形成し、この前後２枚の袋部材２，３を重ね合わせてその左右側辺及び下側辺を縫合し、裏返しすることにより袋体７を形成し、この袋体７の口部８に手さげ紐１０を取り付けると共に、切断したネクタイ幅広側端部Ａを口部止め部材としてその切断側端部を口部８の後部袋部材３側に縫着し、この口部止め部材Ａの先端部を前部袋部材２側に取外し自在に止め付けるようにしたから、これまでクローゼットやタンス等の収納部などに仕舞われたり、そのまま廃棄されていたネクタイ１を無駄なく有効に利用することができ、そしてまた例えば亡き父親が生前に大事に使っていたネクタイによって手さげ袋を形成すれば、ネクタイから手さげ袋に形態は変わっても、その父親の形見をタンスなどに仕舞いこむようなこともなく日常的に使用することができて、この手さげ袋を使用する度に父親の思い出を懐かしく偲ぶことができる。
【０００８】
請求項２に係る考案によれば、切断したネクタイ幅狭側端部Ｂを飾り部材として、これを一方の袋部材３に口部止め部材Ａの縫着部に隣接して縫着しているから、ネクタイ１の幅広側端部Ａと共に幅狭側端部Ｂを取り付けることによって、装飾効果を高めることができる。
【０００９】
請求項３に係る考案によれば、口部止め部材Ａの先端部裏面側と、この口部止め部材Ａの先端部が止め付けられる袋部材所要部位とに、互いに係脱自在に係止される係止部材１１，１２を取り付けているから、口部止め部材Ａの取付けが簡単な上に、袋体７の口部８の止め付け・開放を容易に行なうことができる。
【考案を実施するための最良の形態】
【００１０】
以下に本考案る係るネクタイ利用の手さげ袋の好適な実施形態を図面に基づいて説明すると、図１の(a) は手さげ袋を形成するためのネクタイ１の正面図、(b) はその裏面図であり、図２の(a) ，(b) 、図３の(a) 〜(c) 、図４の(a) 〜(e) は、ネクタイ１によって手さげ袋２を形成する方法を説明する説明図であり、図５及び図６は形成された手さげ袋２の正面図、(b) はその背面図である。
【００１１】
図１の(a) ，(b) に示すネクタイ１は、一端部から他端部にわたって漸次幅広くなるように型取りしたネクタイ生地の両側端部を夫々裏側に折り返して、その中央部で突き合わせるようにすると共にその突き合わせ端部の一方側を内側に折り曲げ、この折り曲げ部分を他方の突き合わせ端部に重ねて縫い付けるようにすることにより形成される、ごく普通のネクタイであって、幅広側端部１ａ及び幅狭側端部１ｂは夫々の突端部１ａｏ，１ｂｏが三角形状に形成されている。
【００１２】
このネクタイ１を利用して手さげ袋を形成する方法について、以下に説明する。
【００１３】
先ず、図２の(a) 及び(b) に示すように、ネクタイ１の幅広側端部１ａ及び幅狭側端部１ｂを、夫々三角形状突端部１ａｏ，１ｂｏの先端から所定長さのところから切断する。その幅広側端部切断片をＡで示し、幅狭側端部切断片をＢで示す。これら切断片Ａ，Ｂの夫々長さは、適当でよいが、図２の(b) に示すように、ネクタイ１の裏側に見える菱形部ａｘ，ｂｘが十分に残って余りあるような長さとする。図２の(a) において、ＣＬはネクタイ１の各切断線を示す。
【００１４】
上記のようにネクタイ１の幅広側端部１ａ及び幅狭側端部１ｂを切り離した中間部を、図２の(a) に示すようにネクタイ長手方向に等間隔で６つに分割して、これらネクタイ中間部の分割片を、夫々裏面側の折り曲げ縫い付け部を解いて同図の(b) に示すようにネクタイ幅方向に平面状に展開する。これら６つの展開分割片を幅広の順にＣ，Ｄ，Ｅ，Ｆ，Ｇ，Ｈで示す。
【００１５】
そして、上記６つの展開分割片Ｃ，Ｄ，Ｅ，Ｆ，Ｇ，Ｈを複数枚ずつ横方向に縫いつないで、ほぼ同じ長さの前後２枚の袋部材２，３を形成するわけであるが、展開分割片Ｃ，Ｄ，Ｅ，Ｆ，Ｇ，Ｈの組み合わせについては任意であって、この実施形態では、例えば、図３の(a) に示すように展開分割片Ｃ，Ｅ，Ｈの３つを横方向に縫いつないで１枚の袋部材２を形成すると共に、同図の(b) に示すように展開分割片Ｄ，Ｆ，Ｇの３つを横方向に縫いつないで、もう１枚の袋部材３を形成する。
【００１６】
この場合、３つの展開分割片Ｃ，Ｅ，Ｈ及び３つのＤ，Ｆ，Ｇを、夫々横方向に縫いつなぐに先立って、図２の(b) に仮想線で示すように、最も幅広の展開分割片Ｃと次に幅広の展開分割片Ｄには夫々の左右両端部に縫い代ｃ，ｄを設け、また展開分割片Ｅについては右側端部を適宜切除した状態で縫い代ｅを設けると共にその左側下端部を切除してアール部ｅｏを形成し、展開分割片Ｆについては、右側端部を適宜切除した状態で縫い代ｆを設けると共にその左側下端部を切除してアール部ｆｏを形成し、また展開分割片Ｇについては、左側端部を適宜切除した状態で縫い代ｇを設けると共にその右側下端部を切除してアール部ｇｏを形成し、更に展開分割片Ｈについても、左側端部を適宜切除した状態で縫い代ｈを設けると共にその右側下端部を切除してアール部ｈｏを形成する。
【００１７】
即ち、１枚目の袋部材２の形成にあたって、３つの展開分割片Ｃ，Ｅ，Ｈどうしが夫々の縫い代ｃ，ｅ，ｈに沿って互いに縫い付けられ、もう１枚目の袋部材３の形成にあたっては、３つのＤ，Ｆ，Ｇどうしが夫々の縫い代ｄ，ｆ，ｇに沿って互いに縫い付けられ、それにより夫々図３の(a) 〜(c) に示すような袋部材２，３となり、また各袋部材２，３の左右両端部は夫々アール状を形成することになる。
【００１８】
それから、図３の(c) に示すように、前後２枚の袋部材２，３を表側どうし向き合う状態から重ね合わせて、そのその左右側辺及び下側辺を縫合するわけであるが、この場合、各袋部材２，３の裏側に夫々裏地４，５をあてがって、この裏地４，５で袋部材２，３を挟んだ状態で、これらの左右側辺及び下側辺を縫合する。尚、図示は省略するが、これら裏地４，５及び袋部材２，３を縫合する場合も、各裏地４，５の左右側辺及び下側辺と、各袋部材２，３の左右側辺及び下側辺とに夫々縫い代を設け、これら縫い代に沿って縫合する。また、一方の裏地４の外面側には、図示のようにポケット６を縫い付けておく。
【００１９】
上記のように前後２枚の袋部材２，３を裏地４，５と共にそれらの左右側辺及び下側辺を縫合することにより、図４の(a) に示すような状態の袋体７′を形成し、そしてこの袋体７′を裏返すことによって同図の(b) に示すような袋体７を形成する。その後、この袋体７の開口端部は、袋部材２の部分と裏地４の部分とを互いに内側に折り込み、また袋部材３の部分と裏地５の部分とを互いに内側に折り込んで、それらを重ね合わせた状態で縫合することによって口部８を形成し、更にこの口部８の周方向に沿ってゴム挿通部９を形成し、図４の(c) に示すような状態とする。
【００２０】
上記のように形成した袋体７の口部８に、ネクタイ１とは別の適当な材料からなる一対の手さげ紐１０、１０を夫々下向きＵ字状の形で縫着して取り付ける。またこの口部８には、先に切断した幅広側端部切断片Ａを口部止め部材として、この幅広側端部切断片Ａの切断側端部を口部８の前後両袋部材２，３の何れか一方の袋部材３に縫着して取り付け、この口部止め部材Ａの先端部を他方の袋部材２に取外し自在に止め付けるようにする。
【００２１】
この場合、一方の袋部材２に取り付けられた口部止め部材Ａの先端部と、この先端部が取外し自在に取り付けられる他方の袋部材２の所要部位とには、互いに係脱自在に係止される係止部材１１，１２が縫着により取り付けられる。これらの係止部材１１，１２は、マジックテープ（登録商標）からなるもので、袋部材３側に取り付けてある口部止め部材Ａを図４の(d) に示す状態から折り曲げて袋体７の口部８を跨ぐ状態でその先端部にある係止部材１１を、袋部材２側の係止部材１２に押し付けると、両係止部材１１，１２が互いに係止して、口部止め部材Ａの先端部が固定され、袋体７の口部８が止め付けられる。また口部止め部材Ａを外側へ引っ張れば、その係止部材１１が袋部材２側の係止部材１２から離脱して、口部８が開放される。
【００２２】
上記のように、ネクタイ１の幅広側端部切断片Ａは、口部止め部材として利用するが、ネクタイ１の幅狭側端部切断片Ｂは、図４の(e) 及び図６に示すように、袋部材２に取り付けた幅広側端部切断片Ａの取付端部側に隣接して、縫着により取り付けることにより、ポイント的装飾効果をもたせる。また、図４の(e) 及び図６に示すように、この口部止め部材Ａには表面側先端部に、ボタンをネクタイ１の端切れ片で包んだ状態の装り部材１３を取り付ける。
【００２３】
また、袋体７の口部８に形成したゴム挿通部９にはゴム挿入口（図示せず）よりゴム紐（図示せず）を通すことによって、図５及び図６に示すように袋体７の口部８を適当に絞った状態とする。
【００２４】
図５は上記のようにして形成した手さげ袋を示す正面図であり、図６はその背面図を示したものである。
【００２５】
以上説明した実施形態の手さげ袋によれば、ネクタイ１の幅広側端部１ａ及び幅狭側端部１ｂを夫々先端から所定長さのところで切断すると共に、その中間部をネクタイ長手方向に等間隔で６つに分割し、これらネクタイ中間部の分割片を夫々の縫い付け部を解いてネクタイ幅方向に展開し、これら展開分割片Ｃ，Ｄ，Ｅ，Ｆ，Ｇ，Ｈを複数枚ずつ横方向に縫いつないで、ほぼ同じ長さの前後２枚の袋部材２，３を形成し、この前後２枚の袋部材２，３を重ね合わせてその左右側辺及び下側辺を縫合し、裏返しすることによって袋体７を形成し、この袋体７の口部８に手さげ紐１０を取り付けると共に、切断したネクタイ幅広側端部Ａを口部止め部材としてその切断側端部を口部８の後部袋部材３側に縫着し、この口部止め部材Ａ先端部を前部袋部材２側に取外し自在に止め付けるようにしたから、これまでクローゼットやタンス等の収納部などにしまわれたり、そのまま廃棄されていた１本のネクタイ１の殆ど全部を無駄なく有効に利用することができるし、また例えば父親が生前大事に使っていたネクタイを利用して手さげ袋を形成すれば、ネクタイから手さげ袋に形態は変わっても、亡き父親の形見をタンスなどに仕舞い込んでしまうようなことがなく、日常的に使用することができて、この手さげ袋を使用する度に父親の思い出を懐かしく偲ぶことができるようになる。
【００２６】
以上説明した実施形態のネクタイ利用手さげ袋は、ネクタイ１の幅広側端部１ａ及び幅狭側端部１ｂを夫々所要長さだけ切り取ったその中間部を、ネクタイ長手方向に等間隔で６つに分割したが、中間部の分割数は６つに限るものではなく、４つ以上であればよい。ただし、この実施形態のように６つに分割した場合には、図５及び図６から分かるように均整のとれたオーソドックスの形態の手さげ袋を形成することができる。
【００２７】
また、この実施形態のネクタイ利用手さげ袋では、切断したネクタイ幅狭側端部Ｂを飾り部材として、これを前記一方の袋部材に口部止め部材Ａの縫着部に隣接して縫着しているから、ネクタイ１の幅広側端部Ａと共に幅狭側端部Ｂを取り付けることによって、装飾効果を高めることができる。
【００２８】
更に、この実施形態のネクタイ利用手さげ袋では、口部止め部材Ａの先端部裏面側と、この口部止め部材Ａの先端部が止め付けられる袋部材所要部位とに、互いに係脱自在に係止される係止部材１１，１２を取り付けているが、このような係止部材１１，１２に代えて、ボタンやホックを使用することができる。しかしながら、実施形態のような係止部材１１，１２を使用すれば、取付けが簡単な上に、袋体７の口部８の止め付け・開放を容易に行なうことができる。
【図面の簡単な説明】
【００２９】
【図１】(a) は手さげ袋を形成するためのネクタイの正面図、(b) はその裏面図である。
【図２】はネクタイの幅広側端部及び幅狭側端部を夫々切断すると共に、その中間部を等間隔で６つに分割する状態を示すもので、(a) はネクタイの裏面図、(b) は展開分割片を示す平面図である。
【図３】(a) は前部袋部材の正面図、(b) は後部袋部材の正面図、(c) は前後両袋部材及び裏地を示す斜視図である。
【図４】(a) 〜(e) は前後両袋部材を縫合して袋体を形成した後、手さげ袋を形成し終わるまでの工程を示す説明斜視図である。
【図５】最終的に形成された手さげ袋の正面図である。
【図６】最終的に形成された手さげ袋の背面図である。
【符号の説明】
【００３０】
１            既製のネクタイ
２，３        袋部材
４，５        裏地
７            袋体
８            袋体の口部
１０          手さげ紐
１１，１２    係止部材
Ｃ，Ｄ，Ｅ    展開分割片
Ｆ，Ｇ，Ｈ    展開分割片
【図１】
0003114661.tif 000003
【図２】
0003114661.tif 000004
【図３】
0003114661.tif 000005
【図４】
0003114661.tif 000006
【図５】
0003114661.tif 000007
【図６】
0003114661.tif 000008